(57)【特許請求の範囲】
【請求項１】
カード用シリンダを備えたカードにて使用される圧力制御装置において、前記カード用シリンダは針布と回転方向とを有しており、前記圧力制御装置は、前記カード用シリンダの前記針布とは反対側に位置決めされたカバーと、所望の繊維から異物を分離するために前記カバーに形成された開口部と、前記カバーに取付けられた交換可能な圧力調整器とを具備し、
前記圧力調整器は絞りビームと、針布を備えた固定カーディング要素と、空気流れ用開口部とを有しており、
前記交換可能な圧力調整器を前記カードにおいて複数の異なる向きに位置決めすることができ、前記圧力調整器は前記カバーと前記カード用シリンダとの間の圧力を調整するようになっている、圧力制御装置。
【請求項２】
前記カード用シリンダの前記回転方向において、前記開口部が前記圧力調整器の上流に位置している請求項１に記載の圧力制御装置。
【請求項３】
前記カード用シリンダの前記回転方向において、前記開口部が前記圧力調整器の下流に位置している請求項１に記載の圧力制御装置。
【請求項４】
前記絞りビームと前記カード用シリンダの前記針布との間の距離を調整可能であるようにした請求項１に記載の圧力制御装置。
【請求項５】
前記カード用シリンダの前記回転方向において、前記圧力は前記絞りビームの上流で上昇すると共に前記絞りビームの下流で低下する請求項１に記載の圧力制御装置。
【請求項６】
前記圧力調整器が、針布を備えている固定カーディング要素を含む請求項１に記載の圧力制御装置。
【請求項７】
前記固定カーディング要素における針布と前記カード用シリンダにおける針布との間の距離を調節可能であるようにした請求項６に記載の圧力制御装置。
【請求項８】
前記カード用シリンダの回転方向において、前記圧力は前記固定カーディング要素の上流で上昇すると共に前記固定カーディング要素の下流で低下する請求項６に記載の圧力制御装置。
【請求項９】
前記空気流れ用開口部は、吸引空気源および圧縮空気源のうちの一方に接続されている請求項１に記載の圧力制御装置。
【請求項１０】
前記空気源の圧力を調節可能であるようにした請求項９に記載の圧力制御装置。
【請求項１１】
前記空気流れ用開口部の寸法を調節可能であるようにした請求項１に記載の圧力制御装置。
【請求項１２】
前記絞りビーム、前記針布を備えた前記固定カーディング要素、および前記空気流れ用開口部のうちの一つが使用位置にあり、前記絞りビーム、前記針布を備えた前記固定カーディング要素、および前記空気流れ用開口部のうちの残りの二つが非使用位置にあるようにした請求項１に記載の圧力制御装置。
【請求項１３】
カード用シリンダを備えたカードにて使用される圧力制御装置において、前記カード用シリンダは針布を有しており、前記圧力制御装置は、前記カード用シリンダの前記針布とは反対側に位置決めされたカバーと、所望の繊維から異物を分離するために前記カバーに形成された開口部と、前記カバーに取付けられた交換可能な圧力調整器とを具備し、
前記圧力調整器は、寸法が調節可能な空気流れ用開口部と、前記空気流れ用開口部の寸法を調節する調節手段とを具備し、
該調節手段は、前記カバーと前記カード用シリンダとの間の圧力が第一の所定圧力より大きいときに前記空気流れ用開口部を第一の寸法に調節し、前記カバーと前記カード用シリンダとの間の圧力が第二の所定圧力より小さいときに前記空気流れ用開口部を第二の寸法に調節するようになっており、
前記圧力調整器は前記カバーと前記カード用シリンダとの間の圧力を調節するようになっている、圧力制御装置。
【請求項１４】
カード用シリンダを備えたカードにて使用される圧力制御装置において、前記カード用シリンダは針布を有しており、前記圧力制御装置は、前記カード用シリンダの前記針布とは反対側に位置決めされたカバーと、所望の繊維から異物を分離するために前記カバーに形成された開口部と、前記カバーに取付けられた交換可能な圧力調整器とを具備し、
前記圧力調整器を前記カードにおいて複数の異なる向きに位置決めすることができ、前記圧力調整器は前記カバーと前記カード用シリンダとの間の圧力を調節するようになっており、前記交換可能な圧力調整器は略三角形状の形状であり、前記絞りビーム、針布を備えた固定カーディング要素、前記空気流れ用開口部のうちのそれぞれ一つが前記交換可能な圧力調整器の異なる面に配置されている、圧力制御装置。
【請求項１５】
針布を備えたカード用シリンダと圧力制御装置とを具備するカードにおいて、前記圧力制御装置は、前記カード用シリンダの前記針布とは反対側に位置決めされたカバーと、所望の繊維から異物を分離するために前記カバーに形成された開口部と、前記カバーに取付けられた交換可能な圧力調整器とを具備し、
該圧力調整器は絞りビームと、針布を備えた固定カーディング要素と、空気流れ用開口部とを有しており、前記圧力調整器は前記カードにおいて複数の異なる向きに位置決めすることができ、前記圧力調整器を前記カバーと前記カード用シリンダとの間の圧力を調整するようになっている、カード。
【請求項１６】
前記絞りビーム、前記針布を備えた前記固定カーディング要素、および前記空気流れ用開口部のうちの一つが使用位置にあり、前記絞りビーム、前記針布を備えた前記固定カーディング要素、および前記空気流れ用開口部のうちの残りの二つが非使用位置にあるようにした請求項１５に記載のカード。
【請求項１７】
さらに、第二の圧力制御装置を具備し、該第二の圧力制御装置は、前記カード用シリンダの前記針布とは反対側に位置決めするための第二のカバーと、所望の繊維から異物を分離するために前記第二のカバーに形成された開口部と、前記第二のカバーに取付けられた第二の圧力調整器とを具備し、前記第二の圧力調整器は前記第二のカバーと前記カード用シリンダとの間の圧力を調整することができる請求項１５に記載のカード。
【請求項１８】
針布を備えたカード用シリンダと圧力制御装置とを具備するカードにおいて、前記圧力制御装置は、前記カード用シリンダの前記針布とは反対側に位置決めされたカバーと、所望の繊維から異物を分離するために前記カバーに形成された開口部と、前記カバーに取付けられた交換可能な圧力調整器とを具備し、
前記圧力調整器を前記カードにおいて複数の異なる向きに位置決めすることができ、前記圧力調整器は前記カバーと前記カード用シリンダとの間の圧力を調節するようになっており、
前記交換可能な圧力調整器は略三角形状の形状であり、前記絞りビーム、針布を備えた固定カーディング要素、前記空気流れ用開口部のうちのそれぞれ一つが前記交換可能な圧力調整器の異なる面に配置されている、カード。
【発明の詳細な説明】
【０００１】
【発明の属する技術分野】
本発明は、ドラムのガーネットに対向し、開口を有するカバーを備えており、少なくとも一つの開口を通して、細かい繊維屑、種子部分、残留葉などの異物が分離されるカードの装置に関する。
【０００２】
【従来の技術】
公知の装置（ＤＥ ３８ ３５ ７７６）では、吸引装置の形の清浄装置があり、その前方にガイドロッドが配置され、その後方にナイフロッドが配置されている。この装置は、分離される異物の構成（屑の構成）を左右できないということが欠点である。
【０００３】
【発明が解決しようとする課題】
そのため、本発明は、前述の欠点を防止でき、特に屑の構成を変更乃至左右することを可能とし、そして屑の除去を調整することの出来る初めに記載した種類の装置を提供するという課題に基づいている。
【０００４】
【課題を解決するための手段】
この課題の解決は、請求項１の特徴的構成により実現される。
【０００５】
カードのカバーとドラムの間の圧力が調節可能であることによって、分離開口を通って流出する屑の構成を変えること乃至左右することが実現される。特別な利点は、ゴミ分離を合目的的に最適化することにある。それによって、異物の望ましい分離と良い繊維の望ましくない流出の比が改善される。更にゴミ分離が処理されるべき繊維材料（原料）により強く適合される。
【０００６】
合目的的には要素は絞りビームである。好ましくは、絞りビームとガーネットとの間の隙間は変更可能である。ドラムの回転方向に見て、絞りビームの前で圧力が高められ、絞りビームの後方で圧力が低下するので有利である。好ましくは、要素はガーネットを備えた固定カーディング部材である。合目的的には、固定カーディング部材のガーネットとドラムのガーネットの隙間は変更できる。好ましくは、ドラムの回転方向に見て、圧力は固定カーディング部材の前で増大され、そして固定カーディング部材の後方で低下する。要素は、空気の開口を持つので有利である。好ましくは、空気の開口は吸引空気源及び／又は圧縮空気源に接続可能である。合目的的には、吸引空気源及び／又は圧縮空気源の強さは、調節可能である。空気の開口の大きさは、変更可能であるのが好ましい。空気の開口の大きさによって、過圧時での圧力低下乃至低圧での圧力回復が実現されるので有利である。
【０００７】
【発明の実施の形態】
本発明は、以下に図示の実施例に基づいて詳細に説明される。
【０００８】
図１は、フィードローラ１、供給台２、ティーカインローラ３ａ、３ｂ、３ｃ、ドラム４、ドッファ５、ストリッピングローラ６、ニップローラ７、８、フリースガイド９、ウェブトランペット１０、引き渡しローラ１１、１２、フラットバー１４を備えた回転フラット１３、容器１５及び容器置き場１６を備えたカード、例えばツリュツラー型高性能カードＤＫ９０３を示している。ローラの回転方向は曲がった矢印で示されている。その作動方向は符号Ａで示されている。本発明による装置１７は、例えば、ドラム４に隣接する場所Ｂ及び／又はＣに配設されている。場所Ｂにおいて、図２によれば、ドラム４の回転方向４ａに見て、固定カーディング部材１８ａ、分離ナイフ２０と排出開口２１を備えたガス排出フード１９ａ、及び「圧力調整器」としての開口２２を備えた本発明の部材１７ａが順次設けられている。場所Ｃにおいて、図３のように、ドラム４の回転方向４ａに見て、固定カーディング部材１８ｂ、ガス排出フード１９ｂ、及び本発明による装置１７ｂが順次設けられている。ドラムのガーネット（メタリックワイヤ）が符号４ｂで示されている。ガーネット４ｂに対向するカバーが符号２６（２６ａ、２６ｂ）で示されている。
【０００９】
図４乃至図６によれば、交換可能な部材（「圧力調整器」）として、絞りビーム２３、固定カーディング部材２４及び開口２２が一緒に回転可能な装置１７に配置されている。図４においては、使用中の、即ちガーネット４ｂ（図２、図３参照）に向かい合わせに配置された絞りビーム２３が示されている。開口２２と固定カーディング部材２４は休止位置にある。図５においては、使用中の、即ちガーネット４ｂに向かい合わせに配置された開口２２が示されている。開口２２の幅は、矢印Ｄ、Ｅの方向に可動のスライダ２５によって変えられる。開口２２はフード２６に組み込まれており、これは（図示されていない）吸引空気源又は圧縮空気源又は大気に対して連絡することが出来る。図６においては、使用中の、即ちガーネット４ｂに向かい合わせに配置された固定のカーディング部材２４が示され、一方開口２２と絞りビーム２３は休止位置にある。向かい合わせに配置されたガーネット４ｂに対する部材２２、２３、２４の間隔ａは、（図示しない技術によって）調節可能である。
【００１０】
図７は、模擬モジュール線図として、実施形態における２個の本発明による要素の配置を領域Ｂ、即ちカードのティーカインローラ３ｃと回転フラット１３の間及び領域Ｃ、即ちカードの回転フラット１３とドッファ５の間、の開口２２ａ、２２ｂとして示している。要素２２ａ、２２ｂは、それぞれ排出フード１９ａ、１９ｂ、カーディング部材１８ａ、１８ｂの後方に配置されている。
【００１１】
排出フード１９の前に固定のカーディング部材１８が配置されているならば、カバー２６とドラム４の間の圧力は図８に示すように低下する。後方配置の開口２２が吸引を行うと、圧力は一様に保持される。吸い込みが無いと、開口２２は圧力を再び上昇させる。
【００１２】
カードは、紡績工場において繊維の清浄化のために重要な機械である。清浄化の概念は、清浄化の度合い、即ち繊維屑の分離に様々に関連している一方、高い糸品質を得るという感覚で、清浄化の概念を埃、繊維断片、繊維屑、節玉、スライバ節玉のような阻害粒子に関連づけなければならない。これについて、回転フラット１３と並んでガス排出フード１９も又、「ウェブ清浄」のために使用される。しかしながら、分離構成は、隙間開口とナイフ位置のような調整された分離の幾何学的配置の影響は受けない。
【００１３】
本発明の処置によって、ゴミ分離を原料により緊密に適合するように、ゴミ分離を最適化することに成功する。
【００１４】
分離装置は、排出フードと、その排出フードの周りに配設された別の任意の要素から構成される。数個の分離装置が順次切り替えられる。例えば、分離装置の構成要素である２個の要素が設けられている。
【００１５】
１．固定カーディング部材
２．排出フード（ナイフを備えた吸引場所）
分離装置の重要な要素は吸引排出フードである。その吸引排出フードの回りに付加的な要素が配置される。排出フードの回りに取り付けられる要素の選択によって、排出フードの分離作用が大きく影響を受ける。
【００１６】
吸引排出フードの前後で要素の位置を調整することによって、分離構成における重大な差異が実現される。
【００１７】
−強化された節玉分離
−分離される脱落量の増大
−強化された繊維屑の分離
−繊維のほぐしの向上、等。
【００１８】
要素の位置に従って、排出フードの前後に、分離量と分離構成とを左右する異なった圧力が生ずる。
【００１９】
数個の分離装置の順次切り替えの下でこれらは相互に影響を及ぼし合い、これによってその全体的な作用が達成されない。これを防止するために、隣接した分離装置間の適当なインターフェースを作り出さなければならない。これについて、本発明による装置１７は、「圧力調整器」として組み込まれる。その圧力調整器は、その表面に３個の異なる作用要素を含んでいる：
カーディング部材２４は繊維屑のほぐし及び要素の前の圧力形成乃至要素の後の圧力低下のために役立つ。
【００２０】
絞りビーム２３（狭隘部）は要素の前の圧力形成乃至要素の後の圧力低下のために役立つ。
【００２１】
開口２２は開口は過大圧力時の圧力低下と低圧時の圧力復活を生ずる、即ち空気は流出入出来る。
【００２２】
圧力調整器のどの面が、カードの可撓曲面に隣接するかによってそれぞれドラム４（シリンダ）に隣接して異なった圧力レベルが生ずる。分離装置内に圧力調整器を組み込むことによって、最も狭い空間に可能な限り大きい柔軟性で異なった分離装置が順次構成される。分離装置を並置することによって、分離作用は構成要素の繰り返しによって強化されるが、異なった分離作用も順次実現される。
【００２３】
カーディング部材と排出フードからなる分離装置に、その後圧力調整器が加えられる。
【００２４】
分離装置の要素は、カーディング部材１８と、排出フード１９と、圧力調整器１７とである。
【００２５】
圧力調整器
「圧力調整器」の特別の側面において、幾つかの機能が一体化され、これに基づいて一つの機能がそれぞれ活発化されることが出来る。その側面は、要素の機能を切り替える。カーディング部材２４（ガーネット）。狭隘部２３（絞り要素）。開口２２。
【００２６】
圧力調整器は自己の選択で、３面の一つで可撓性曲面にねじ止めされることが出来る。圧力調整器は自己の選択で、空気が供給されなければならないか又は排出されなければならないかによって排気システムに接続されることが出来る。圧力調整器は、ガーネットに対する距離（隙間ａ）において調節できる。圧力調整器の隙間ａ及びこれに伴い狭隘部とカーディング縁は、機構的に又は動力を用いて変えられる。ここにおいて、制御装置は、カードの制御回路（量計測としての高性能センサからなる）に組み入れられる。更に、圧力調整器の開口の大きさは変えることが出来る。最後に、開口によって供給され、又は排出される空気の量は、機構的に又は動力を用いて変えられる。ここにおいて、制御装置は、カードの制御回路（量計測としての高性能センサからなる）に組み入れられる。
【００２７】
分離装置
要素即ち排出フード１９、固定カーディング部材１８及び圧力調整器１７は一つの分離装置に纏められる。各分離装置は独立の装置としてみなされる。３個の要素、即ち固定カーディング部材１８、ナイフ２０を含む排出フード１９及び圧力調整器１７は取付部の幅が同じなので、任意にモジュールとして構成される。排出フード１９の周りに要素を配設する技術は、分離作用を決定する。対応する分離装置、即ち対応する要素の順序によって、分離作用は強化され、又は異なる分離作用が相互に活性化される。
【００２８】
本発明の装置を用いて、圧力の調節が以下の助けを得て行われる：
狭隘部即ち支持枠幅を横切る平坦なバーを備えた絞りビーム２３。かかる狭隘部は、ガーネットのそばでドラム支持台に非常に接近するように並んでおり、これにより材料がカーディングされずに上流側及び下流側で圧力が相当に変化する。
【００２９】
開口２２、即ちナイフのない排出フード２６、このときこの種の開口２２は切り替えられて、繊維材料は排出されない。
【００３０】
この開口２２に隣接して、過大圧力のときは空気が排出され、低圧のときは空気が吸い込まれ、その結果開口位置の後ろでは圧力はゼロに近い。
【００３１】
それを通り越して外方へ、この特別に設けられた開口位置が空気を活発に吸い出すようにし、そのため低圧が上流側及び下流側で発生する。同様に、この開口位置によって、空気が合目的的に吹き込まれ、そのため過大圧力が発生する。
【００３２】
開口２２は大きさが調節出来（図５参照）、それにより空気交換量が調節できる。
【００３３】
圧力調整器１７を排出フード２６そして場合によってはカーディング部材１８と結合することによって、排出フード２６に隣接する分離構成は大きく変わる、即ち組み合わせによって多くの繊維屑が分離しそして他の組み合わせによって多くの節玉が除去される。
【００３４】
合目的的に活発に空気が圧力調整器に隣接して吸い出され、これによってローラに隣接する圧力が尚更に低減され、乃至空気が活発に供給される利点がある。
【００３５】
本発明による圧力調整器１７、詳しく言えばつまり新しい作動要素である開口２２及び狭隘部２３は、回転しそして支持枠に支持された全てのロールに例えばドラム４に隣接して組み入れられる。
【００３６】
圧力調整器、特に開口位置の一体化によって、カーディング部材１８と排出フード１９とからなる分離装置は、同様な作用の下に連続して切り替えられる。
【図面の簡単な説明】
【図１】図１は本発明による装置を備えたカードの側面図を示す。
【図２】図２はドラムの第１の場所に開口を備えた該装置の実施形態を示す図である。
【図３】図３は図２の装置をドラムの他の位置で示す図である。
【図４】図４は一つの要素が使用され、且つ他の２個の要素が休止位置に配置されているときの絞りビーム、変更可能な穴及び固定ガーネットを交換可能な一要素として示す図である。
【図５】図４の要素が回転された位置にあるところを示す図である。
【図６】図４の要素がさらに回転された位置にあるところを示す図である。
【図７】図７はティーカインローラ、回転フラット、及びドッファの間の装置のそれぞれの配置をブロック線図として示す。
【図８】図８は開口を備えた本発明による装置の使用時の圧力変化を示す図である。
【符号の説明】
３…テーカインローラ
４…ドラム
５…ドッファ
１７…本装置
１８…固定カーディング部材
１９…排出フード
２０…分離ナイフ
２１…排出開口
２２…開口
２３…絞りビーム
２６…カバー
【図１】
0004071570.tif 000002
【図２】
0004071570.tif 000003
【図３】
0004071570.tif 000004
【図４】
0004071570.tif 000005
【図５】
0004071570.tif 000006
【図６】
0004071570.tif 000007
【図７】
0004071570.tif 000008
【図８】
0004071570.tif 000009